Podtech/llm-jp-corpus-v4-ja_patent huggingface dataset:
【手続補正書】
【提出日】令和1年12月6日(2019.12.6)
【手続補正１】
【補正対象書類名】特許請求の範囲
【補正対象項目名】請求項３３
【補正方法】変更
【補正の内容】
【請求項３３】
膵臓疾患患者より採取した検体中の、エクソソームが有するＥＰＳ８（Ｅｐｉｄｅｒｍａｌ ｇｒｏｗｔｈ ｆａｃｔｏｒ Ｒｅｃｅｐｔｏｒ ｋｉｎａｓｅ ｓｕｂｓｔｒａｔｅ ８：上皮成長因子受容体キナーゼ  基質８）測定試薬を含むことを特徴とする、膵臓癌患者と膵臓癌以外の膵臓疾患患者とを鑑別するための試薬。
【手続補正２】
【補正対象書類名】明細書
【補正対象項目名】００１３
【補正方法】変更
【補正の内容】
【００１３】
［３３］膵臓疾患患者より採取した検体中の、エクソソームが有するＥＰＳ８測定試薬を含むことを特徴とする、膵臓癌患者と膵臓癌以外の膵臓疾患患者とを鑑別するための試薬。
［３４］前記ＥＰＳ８測定試薬が、免疫学的測定試薬である、［３３］に記載の試薬。［３５］前記免疫学的測定試薬が、ＥＰＳ８に結合する抗体又は該抗体断片を含む、［３４］に記載の試薬。
［３６］前記免疫学的測定試薬が、さらに、エクソソーム特異的抗原に結合する抗体又は該抗体断片を含む、［３５］に記載の試薬。
［３７］前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、［３６］に記載の試薬。
［３８］さらに、エクソソーム単離試薬を含む、［３３］〜［３７］のいずれか一つに記載の試薬。
［３９］前記膵臓癌以外の膵臓疾患が、膵炎である、［３３］〜［３８］のいずれか一つに記載の試薬。
［４０］前記検体が、血液である、［３３］〜［３９］のいずれか一つに記載の試薬。
【手続補正３】
【補正対象書類名】明細書
【補正対象項目名】００３１
【補正方法】変更
【補正の内容】
【００３１】
酵素としては、例えば、アルカリホスファターゼ、ペルオキシダーゼ、ガラクトシダーゼ、グルクロニダーゼ、ルシフェラーゼ等が挙げられる。
蛍光物質としては、例えば、フルオレッセイン  イソチオシアナート（ＦＩＴＣ）、ローダミンＢ−イソチオシアナート（ＲＩＴＣ）等が挙げられる。その他の蛍光物質としては、例えば、ｑｕａｎｔｕｍ ｄｏｔ（Ｓｃｉｅｎｃｅ, ２８１, ２０１６−２０１８, １９９８）、フィコエリスリン等のフィコビリ蛋白質、ＧＦＰ（Ｇｒｅｅｎ ｆｌｕｏｒｅｓｃｅｎｔ Ｐｒｏｔｅｉｎ）、ＲＦＰ（Ｒｅｄｆｌｕｏｒｅｓｃｅｎｔ Ｐｒｏｔｅｉｎ）、ＹＦＰ  （Ｙｅｌｌｏｗ ｆｌｕｏｒｅｓｃｅｎｔ Ｐｒｏｔｅｉｎ）、ＢＦＰ（Ｂｌｕｅ ｆｌｕｏｒｅｓｃｅｎｔ Ｐｒｏｔｅｉｎ）等の蛍光を発する蛋白質が挙げられる。
発光物質としては、例えば、アクリジニウム及びその誘導体、ルテニウム錯体化合物、ロフィン等が挙げられる。ルテニウム錯体化合物としては、電子供与体と共に電気化学的に発光する、Ｃｌｉｎ.Ｃｈｅｍ.３７,９,１５３４−１５３９, １９９１に示されたものが好ましい。
放射性同位元素としては、例えば、３Ｈ、１４Ｃ、３５Ｓ、３２Ｐ、１２５Ｉ、１３１Ｉ等が挙げられる。
タグ配列を含むポリペプチドとしては、ＦＬＡＧペプチド（ＦＬＡＧタグ、Ａｓｐ Ｔｙｒ Ｌｙｓ Ａｓｐ Ａｓｐ Ａｓｐ Ａｓｐ Ｌｙｓ）、ポリヒスチジン（Ｈｉｓタグ、Ｈｉｓ Ｈｉｓ Ｈｉｓ Ｈｉｓ Ｈｉｓ Ｈｉｓ）、ｍｙｃエピトープペプチド（ｍｙｃタグ、Ｇｌｕ Ｇｌｎ Ｌｙｓ Ｌｅｕ Ｉｌｅ Ｓｅｒ Ｇｌｕ Ｇｌｕ Ａｓｐ Ｌｅｕ）、ヘマグルチニンエピトープペプチド（ＨＡタグ、Ｔｙｒ Ｐｒｏ Ｔｙｒ Ａｓｐ Ｖａｌ Ｐｒｏ Ａｓｐ Ｔｙｒ Ａｌａ）等が挙げられる。
【手続補正４】
【補正対象書類名】明細書
【補正対象項目名】００５８
【補正方法】変更
【補正の内容】
【００５８】
また、前記測定方法３の工程（２Ｂ）において、被検者より採取した検体より単離したエクソソームを用いて、検体中の、エクソソームが有するＥＰＳ８濃度を測定することもできる。具体的には、以下の工程を含む方法が挙げられる。
［測定方法４］
（１Ｃ）膵臓疾患患者より検体を採取する工程；
（２Ｃ）工程（１Ｃ）で採取した検体からエクソソームを単離する工程；
（３Ｃ）工程（２Ｃ）で単離したエクソソームが有するＥＰＳ８濃度を測定する工程；（４Ｃ）工程（３Ｃ）で測定したＥＰＳ８濃度から、該検体中の、エクソソームが有するＥＰＳ８濃度を決定する工程；
（５Ｃ）工程（４Ｃ）で決定したＥＰＳ８濃度が、膵臓癌以外の膵臓疾患患者より採取した検体中の、エクソソームが有するＥＰＳ８濃度よりも高い場合には該被検者は膵臓癌に罹患している可能性が高いと判定し、膵臓癌以外の膵臓疾患患者より採取した検体中の、エクソソームが有するＥＰＳ８濃度と同じか又は低い場合には該被検者は膵臓癌以外の膵臓疾患に罹患している可能性が高いと判定する工程。
【手続補正５】
【補正対象書類名】明細書
【補正対象項目名】００６７
【補正方法】変更
【補正の内容】
【００６７】
＜工程（５Ｃ）＞
工程（５Ｃ）は、工程（４Ｃ）で決定された、該膵臓疾患患者より採取した検体中の、エクソソームが有するＥＰＳ８濃度と、膵臓癌以外の膵臓疾患患者より採取した検体中の、エクソソームが有するＥＰＳ８濃度とを対比する工程であり、膵臓疾患患者より採取した検体中の、エクソソームが有するＥＰＳ８濃度が、膵臓癌以外の膵臓疾患患者より採取した検体中の、エクソソームが有するＥＰＳ８濃度よりも高い場合には該膵臓疾患患者は膵臓癌に罹患している可能性が高いと判定され、膵臓癌以外の膵臓疾患患者より採取した検体中の、エクソソームが有するＥＰＳ８濃度と同じか又は低い場合には、該膵臓疾患患者は膵臓癌以外の膵臓疾患に罹患している可能性が高いと判定される。
【手続補正６】
【補正対象書類名】明細書
【補正対象項目名】００９４
【補正方法】変更
【補正の内容】
【００９４】
５．膵臓疾患患者において、膵臓癌と膵臓癌以外の膵臓疾患とを鑑別するための試薬
本発明の、膵臓疾患患者において、膵臓癌と膵臓癌以外の膵臓疾患とを鑑別するための試薬は、エクソソームが有するＥＰＳ８測定試薬を含有することを特徴とする試薬であり、本発明の、膵臓疾患患者において、膵臓癌と膵臓癌以外の膵臓疾患とを鑑別する方法に用いることができる。
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
内燃機関のシリンダ内を往復運動するピストンのピストンピンと回転運動を行うクランクシャフトのクランクピンとを連結するコネクティングロッドを備え、
前記ピストンピンと前記クランクピンとの相対位置を変更することにより、圧縮比を可変する可変圧縮比機構であって、
前記コネクティングロッドは、同一の前記クランクピンと同一の前記ピストンピンとに並列に設置される第１のコネクティングロッド部および第２のコネクティングロッド部を有し、
前記第１のコネクティングロッド部は、第１の構成部材および第２の構成部材を含んで構成されており、
前記第２のコネクティングロッド部は、第３の構成部材および第４の構成部材を含んで構成されており、
前記第１の構成部材および第３の構成部材のそれぞれは、前記ピストンピンに連結される小端部と、前記小端部から前記クランクピンに向かって延びるアーム部とを備えており、
前記第２の構成部材および前記第４の構成部材のそれぞれは、少なくとも前記クランクピンに連結される大端部と、少なくとも前記大端部を前記アーム部に揺動自在に連結する連結ピンとを備えており、
少なくとも前記第２の構成部材および前記第４の構成部材に、前記クランクピンを中心にして前記第２の構成部材と前記第４の構成部材とを相対移動させる作動機構が設けられていることを特徴とする可変圧縮比機構。
【請求項２】
前記第２の構成部材の連結ピンを第１の連結ピンとし、前記第４の構成部材の連結ピンを第２の連結ピンとした場合に、
前記第１のコネクティングロッド部の大端部と前記第２のコネクティングロッド部の大端部が相対回転した状態において、前記第１の構成部材および前記第２の構成部材は、前記第１の連結ピンおよび前記第２の連結ピンが前記ピストンピンに対して等間隔となるように設置されており、
前記第３の構成部材および前記第４の構成部材は、前記第１の連結ピンおよび前記第２の連結ピンが前記クランクピンに対して等間隔となるように設置されていることを特徴とする請求項１に記載の可変圧縮比機構。
【請求項３】
前記作動機構は、
前記第２の構成部材および前記第４の構成部材のいずれか一方に設けられた油圧室と、
前記第２の構成部材および前記第４の構成部材のいずれか他方に設けられ、前記油圧室を第１の油圧室と第２の油圧室とに仕切るようにして前記油圧室内を移動自在な移動部材とを備えており、
前記第１の油圧室または前記第２の油圧室のいずれか一方に作動油を供給することにより、前記第２の構成部材と前記第４の構成部材とを相対移動させることを特徴とする請求項１または請求項２に記載の可変圧縮比機構。
【請求項４】
前記作動機構は、
油圧源と、
前記油圧源と前記第１の油圧室および前記第２の油圧室とを接続し、前記油圧源から前記第１の油圧室および前記第２の油圧室に作動油を供給するオイル通路と、
前記オイル通路に設けられ、前記油圧源から前記第１の油圧室および前記第２の油圧室のいずれか一方に作動油を供給したときに、前記第１の油圧室および前記第２の油圧室のいずれか他方から作動油を排出するように、作動油の流れを切換える油圧制御弁とを備えていることを特徴とする請求項３に記載の可変圧縮比機構。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
現実空間における複数の特徴を入力データから取得する取得手段と、
前記入力データを取得した装置の位置／姿勢の算出に利用すべき度合いを、前記現実空間における位置が既知である特徴に対応付けて保持する保持手段と、
前記取得された特徴のうちの一つの特徴の近傍に存在している特徴に対応付けられた前記度合いに基づいて、前記一つの特徴に対して位置／姿勢の算出に利用すべき度合いを決定する決定手段と、を備えることを特徴とする情報処理装置。
【請求項２】
前記決定手段は、前記一つの特徴の位置／姿勢算出への利用の可否を２値の前記度合いとして決定することを特徴とする請求項１に記載の情報処理装置。
【請求項３】
前記決定手段は、前記一つの特徴の近傍にある特徴のうち対応付けられた前記度合いが所定の値より小さいものが所定の割合より多い場合に、前記一つの特徴を利用不可に決定することを特徴とする請求項１または２に記載の情報処理装置。
【請求項４】
前記決定手段は、前記一つの特徴の近傍にある特徴において、対応付けられた前記度合いが利用不可である特徴が所定の割合より多い場合に、前記一つの特徴の前記度合いを利用不可に決定し、他の場合に前記一つの特徴の利用可に決定することを特徴とする請求項１乃至３のいずれか１項に記載の情報処理装置。
【請求項５】
前記決定手段は、前記一つの特徴の近傍にある特徴の対応付けられた前記度合いの平均値が所定の値より小さい場合に前記一つの特徴を利用不可に決定することを特徴とする請求項１乃至４のいずれか１項に記載の情報処理装置。
【請求項６】
前記決定手段は、さらに、前記複数の特徴の各々について、近傍の特徴に基づいて前記度合いが利用不可に決定された特徴の近傍に存在する特徴に対応付けられた前記度合いを利用不可に変更することを特徴とする請求項３に記載の情報処理装置。
【請求項７】
前記決定手段は、近傍に対応付けられた前記度合いが利用不可に決定された特徴が存在し、近傍の特徴の前記度合いの平均値が所定の閾値以下の場合に、当該特徴に対する前記度合いを利用不可に変更することを特徴とする請求項６に記載の情報処理装置。
【請求項８】
前記決定手段による特徴の利用不可への前記変更は、再帰的に実行されることを特徴とする請求項６または７に記載の情報処理装置。
【請求項９】
前記決定手段によって利用可に決定された特徴に基づいて、前記装置の位置／姿勢を算出する算出手段と、をさらに備えることを特徴とする請求項１乃至８のいずれか１項に記載の情報処理装置。
【請求項１０】
前記決定手段は、前記装置の位置／姿勢を算出するための重みとして前記度合いを決定し、
前記算出手段は、前記度合いに基づいて、前記装置の位置／姿勢を算出することを特徴とする請求項９に記載の情報処理装置。
【請求項１１】
前記算出手段が算出した前記装置の位置／姿勢に基づいて、前記複数の特徴の前記度合いを更新する更新手段をさらに備えることを特徴とする請求項９または１０に記載の情報処理装置。
【請求項１２】
前記更新手段は、
前記算出手段により算出された前記装置の位置／姿勢に基づいて前記複数の特徴を前記特徴の座標系に投影し、
前記投影された特徴の位置と対応する特徴の位置との差に基づいて前記投影された特徴の前記度合いを更新し、前記複数の特徴のうちの一つの特徴の前記度合いを、投影された前記複数の特徴の配置において前記一つの特徴の近傍に存在している特徴の前記度合いに基づいて更新する、ことを特徴とする請求項１１に記載の情報処理装置。
【請求項１３】
前記算出手段が算出した前記装置の位置／姿勢に基づいて、撮像装置によって撮像した画像に仮想物体の像を合成する画像合成手段と、
前記画像合成手段が合成した画像を表示する表示手段と、をさらに備えることを特徴とする請求項９乃至１２のいずれか１項に記載の情報処理装置。
【請求項１４】
前記入力データを取得した装置は、撮像装置であって、
前記取得手段は、前記入力データとして前記撮像装置によって撮像された画像から前記特徴を取得することを特徴とする請求項１乃至１３のいずれか１項に記載の情報処理装置。
【請求項１５】
現実空間における複数の特徴を入力データから取得する取得工程と、
前記入力データを取得した装置の位置／姿勢の算出に利用すべき度合いを、前記現実空間における位置が既知である特徴に対応付けて保持する保持工程と、
前記取得された特徴のうちの一つの特徴の近傍に存在している特徴に対応付けられた前記度合いに基づいて、前記一つの特徴に対して位置／姿勢の算出に利用すべき度合いを決定する決定工程と、を有することを特徴とする情報処理方法。
【請求項１６】
コンピュータを、請求項１乃至１４のいずれか１項に記載の情報処理装置の各手段として機能させることを特徴とするプログラム。
【手続補正２】
【補正対象書類名】明細書
【補正対象項目名】０００８
【補正方法】変更
【補正の内容】
【０００８】
上記の目的を達成するための本発明の一態様による情報処理装置は以下の構成を備える。すなわち、現実空間における複数の特徴を入力データから取得する取得手段と、前記入力データを取得した装置の位置／姿勢の算出に利用すべき度合いを、前記現実空間における位置が既知である特徴に対応付けて保持する保持手段と、前記取得された特徴のうちの一つの特徴の近傍に存在している特徴に対応付けられた前記度合いに基づいて、前記一つの特徴に対して位置／姿勢の算出に利用すべき度合いを決定する決定手段と、を備える。
【手続補正書】
【提出日】令和2年10月19日(2020.10.19)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
位相変調部と、
ＦＰＣと、
位相復調部と、
コントローラと、
表示パネルと、を有し、
画像データが、前記位相変調部に入力され、
前記位相変調部は、前記画像データを含む高周波信号を生成し、
前記位相変調部は、前記ＦＰＣを介して前記高周波信号を前記位相復調部に伝送し、
前記位相復調部は、前記高周波信号を復調して、前記画像データを取り出し、
前記コントローラは、前記位相復調部が取り出した前記画像データを使って、前記表示パネルに表示する、半導体装置。
【請求項２】
位相変調部と、
ＦＰＣと、
位相復調部と、
コントローラと、
表示パネルと、を有し、
前記位相変調部は、位相調整部を有し、
前記位相調整部は、電気信号に従って、信号の位相を調整する機能を有し、
画像データが、前記位相変調部に入力され、
前記位相変調部は、前記画像データを含む高周波信号を生成し、
前記位相調整部は、前記ＦＰＣの特性に合わせて、前記高周波信号の位相を調整し、
前記位相変調部は、前記ＦＰＣを介して、前記位相調整部が調整した前記高周波信号を前記位相復調部に伝送し、
前記位相復調部は、前記高周波信号を復調して、前記画像データを取り出し、
前記コントローラは、前記位相復調部が取り出した前記画像データを使って、前記表示パネルに表示する、半導体装置。
【請求項３】
請求項２において、
前記位相調整部は、１つ以上の移相器を有する、半導体装置。
【請求項４】
請求項２または請求項３において、
前記位相調整部は、チャネル形成領域に金属酸化物を含むトランジスタを有する、半導体装置。
【請求項５】
請求項１乃至請求項４のいずれか一項において、
前記位相復調部は、移相器を有し、
前記移相器は、前記表示パネルを構成する基板上に設けられる、半導体装置。
【請求項６】
請求項１乃至請求項５のいずれか一項において、
前記位相変調部、および前記位相復調部を構成するトランジスタは、シリコントランジスタである、半導体装置。
【請求項７】
請求項１乃至請求項６のいずれか一項において、
前記ＦＰＣは、ストリップ構造、またはマイクロストリップ構造を有する、半導体装置。
【請求項８】
請求項１乃至請求項７のいずれか一項において、
前記ＦＰＣは、コプレナー構造を有する、半導体装置。
【請求項９】
請求項１乃至請求項８のいずれか一項において、
前記位相変調部は、位相偏移変調を行う、半導体装置。
【請求項１０】
請求項１乃至請求項９のいずれか一項において、
前記コントローラは、ソースドライバを有し、
前記ソースドライバは、前記位相復調部が取り出した前記画像データをもとに、第１データ信号および第２データ信号を生成する機能を有し、
前記表示パネルは、反射素子と、発光素子と、を有し、
前記反射素子は、前記第１データ信号に従って表示を行い、
前記発光素子は、前記第２データ信号に従って表示を行う、半導体装置。
【請求項１１】
請求項１０において、
前記反射素子は、液晶素子であり、
前記発光素子は、有機ＥＬ素子である、半導体装置。
【請求項１２】
請求項１乃至請求項１１のいずれか一項において、
前記表示パネルは、チャネル形成領域に金属酸化物を含むトランジスタを有する、半導体装置。
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
基板上に設けられる、複数のタッチ電極を備え、
前記複数のタッチ電極の各々は、第１の方向に延在する導電体部、及び前記第１の方向と交差すると共に前記第１の方向に直交する方向と交差する第２の方向に延在する導電体部を含んで構成されるメッシュ構造を有することを特徴とするタッチセンサ。
【請求項２】
前記複数のタッチ電極は、遮光性を有する金属を含むことを特徴とする請求項１に記載のタッチセンサ。
【請求項３】
前記第１の方向および前記第２の方向のなす鋭角側の角は、２０度以上６０度以下であることを特徴とする請求項１に記載のタッチセンサ。
【請求項４】
基板上に設けられ、各々が発光素子を有し、マトリクス状に配列された複数の副画素を有する表示領域と、
前記表示領域を覆う絶縁層と、
前記絶縁層上に設けられた複数のタッチ電極と、を備え、
前記複数のタッチ電極の各々は、第１の方向に延在する導電体部、および前記第１の方向と交差すると共に前記第１の方向に直交する方向と交差する第２の方向に延在する導電体部を含んで構成されるメッシュ構造を有し、
前記導電体部は、平面視において前記複数の副画素の各々が有する発光領域の外側に設けられることを特徴とするタッチセンサ付表示装置。
【請求項５】
前記複数のタッチ電極は、遮光性を有する金属を含むことを特徴とする請求項４に記載のタッチセンサ付表示装置。
【請求項６】
前記複数の副画素は、第１の光を発するように構成された第１の副画素、第２の光を発するように構成された第２の副画素、及び第３の光を発するように構成された第３の副画素を含み、
前記第１の副画素、前記第２の副画素、及び前記第３の副画素のうち少なくとも二つは、発光領域の形状が互いに異なることを特徴とする請求項４に記載のタッチセンサ付表示装置。
【請求項７】
前記第１の方向および前記第２の方向のなす鋭角側の角は、２０度以上６０度以下であることを特徴とする請求項４に記載のタッチセンサ付表示装置。
【請求項８】
前記複数の画素は、前記第１の方向及び前記第１の方向に交差する方向にマトリクス状に配列されていることを特徴とする請求項４に記載のタッチセンサ付表示装置。
【請求項９】
前記複数の副画素の各々が有する前記発光領域の少なくとも一つは、前記メッシュ構造の開口部の内側に設けられ、
前記メッシュ構造の開口部を囲む導体部の端部の一と、前記発光領域の少なくとも一の端部の一とは平行であり、
前記メッシュ構造の開口部を囲む導体部の端部の他の一と、前記発光領域の少なくとも一の端部の他の一とは非平行であることを特徴とする請求項４に記載のタッチセンサ付表示装置。
【手続補正２】
【補正対象書類名】明細書
【補正対象項目名】発明の名称
【補正方法】変更
【補正の内容】
【発明の名称】タッチセンサ及びタッチセンサ付表示装置
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
乱数生成装置であって、
複数の遅延素子を有する第１リングオシレータと、
前記第１リングオシレータの前記複数の遅延素子の数とは異なる数の複数の遅延素子を有する第２リングオシレータと、
前記第１リングオシレータから出力された第１信号及び前記第２リングオシレータから出力された第２信号が入力され、前記第１信号及び前記第２信号を出力することが可能な信号出力部と、
前記信号出力部から出力される信号を選択する選択手段と、
前記選択手段によって選択された信号とクロック信号とが入力され、ランダム信号を出力するランダム信号出力部と、を備えることを特徴とする乱数生成装置。
【請求項２】
前記第１リングオシレータの前記遅延素子の数及び前記第２リングオシレータの前記遅延素子の数とは異なる数の複数の遅延素子を有する第３リングオシレータをさらに備え、
前記信号出力部は、前記第３リングオシレータから出力された第３信号がさらに入力され、前記第３信号をさらに出力することが可能である、ことを特徴とする請求項１に記載の乱数生成装置。
【請求項３】
前記ランダム信号出力部は、前記第１信号、前記第２信号および前記第３信号が入力され、第４信号を出力するＸＯＲ素子を有する、ことを特徴とする請求項２に記載の乱数生成装置。
【請求項４】
前記選択手段は、第１選択信号と第２選択信号を出力可能であり、
前記信号出力部は、前記第１信号及び前記第１選択信号が入力され、前記第１選択信号の入力時に前記第１信号を出力する第１論理回路、及び、前記第２信号及び前記第２選択信号が入力され、前記第２選択信号の入力時に前記第２信号を出力する第２論理回路、を有する、ことを特徴とする請求項１乃至３の何れか１項に記載の乱数生成装置。
【請求項５】
前記第１論理回路及び前記第２論理回路は、ＡＮＤ素子である、ことを特徴とする請求項４に記載の乱数生成装置。
【請求項６】
前記ランダム信号出力部は、前記選択手段によって選択された信号が入力されるＸＯＲ素子を有する、ことを特徴とする請求項１に記載の乱数生成装置。
【請求項７】
前記ランダム信号出力部は、フリップフロップ回路を含み、前記クロック信号の状態が変化するタイミングの前記フリップフロップに入力される信号の状態を前記ランダム信号として出力する、ことを特徴とする請求項１乃至６の何れか１項に記載の乱数生成装置。
【請求項８】
リセット信号を出力するリセット信号出力部をさらに備え、
前記リセット信号は、前記第１リングオシレータ及び前記第２リングオシレータの両方に入力される、ことを特徴とする請求項１乃至７の何れか１項に記載の乱数生成装置。
【請求項９】
前記クロック信号は、前記第１信号の周波数及び前記第２信号の周波数より低い周波数である、ことを特徴とする請求項１乃至８の何れか１項に記載の乱数生成装置。
【請求項１０】
周波数が異なる複数のクロック信号が入力され、前記複数のクロック信号の中から選択されたクロック信号を前記ランダム信号出力部に出力するクロック信号出力部をさらに備える、ことを特徴とする請求項１乃至９の何れか１項に記載の乱数生成装置。
【請求項１１】
周波数が異なる複数のクロック信号が入力され、前記複数のクロック信号及び前記複数のクロック信号の反転信号の中から選択されたクロック信号を前記ランダム信号出力部に出力するクロック信号出力部をさらに備える、ことを特徴とする請求項１乃至９の何れか１項に記載の乱数生成装置。
【請求項１２】
前記選択手段は、プロセッサからのアクセスによって設定値を書き換え可能なレジスタを有し、前記レジスタの値に従って前記信号出力部から出力される信号を選択する、ことを特徴とする請求項１乃至１１の何れか１項に記載の乱数生成装置。
【手続補正２】
【補正対象書類名】明細書
【補正対象項目名】発明の名称
【補正方法】変更
【補正の内容】
【発明の名称】乱数生成装置
【手続補正３】
【補正対象書類名】明細書
【補正対象項目名】０００１
【補正方法】変更
【補正の内容】
【０００１】
本発明は、乱数生成装置に関するものである。
【手続補正４】
【補正対象書類名】明細書
【補正対象項目名】０００８
【補正方法】変更
【補正の内容】
【０００８】
上記目的を達成する本発明の乱数生成装置は以下に示す構成を備える。
乱数生成装置であって、複数の遅延素子を有する第１リングオシレータと、前記第１リングオシレータの前記複数の遅延素子の数とは異なる数の複数の遅延素子を有する第２リングオシレータと、前記第１リングオシレータから出力された第１信号及び前記第２リングオシレータから出力された第２信号が入力され、前記第１信号及び前記第２信号を出力することが可能な信号出力部と、前記信号出力部から出力される信号を選択する選択手段と、前記選択手段によって選択された信号とクロック信号とが入力され、ランダム信号を出力するランダム信号出力部と、を備えることを特徴とする。
【手続補正書】
【提出日】令和2年3月6日(2020.3.6)
【手続補正１】
【補正対象書類名】明細書
【補正対象項目名】００５９
【補正方法】変更
【補正の内容】
【００５９】
本実施形態において、撮像装置４の撮像データは、フレーム毎の画像６０を示す画像データである。制御部５２は、フレーム毎の画像６０における瞳孔６１の位置の時間的変化を抽出する（Ｓ１２）。これにより、フレーム画像６０のフレームレートの範囲内で、瞳孔６１の動きの時間周波数解析を行うことができる（図６）。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
複数の微小反応槽を有するデバイスを用いて細胞の遺伝子発現を解析する方法であって、
該微小反応槽の中には、増幅用プライマー配列、細胞識別配列、分子識別配列、およびオリゴ（dT）配列を含むプローブが固定された固相担体が1個以上充填されており、
前記方法が、
前記微小反応槽1つ当たり単一の細胞が対応するように、複数の細胞を前記微小反応槽へ導入する工程と、
前記単一細胞由来のmRNAを前記プローブに捕捉する工程と、
前記捕捉されたmRNAの逆転写反応により1st cDNAを合成し、単一細胞由来の1st cDNAライブラリを前記固相担体上で作製する工程と、
前記固相担体を洗浄する工程と、
前記1st cDNAライブラリから2nd cDNAを合成する工程と、
前記1st cDNAと前記2nd cDNAとからなる2本鎖DNAの断片化およびタグ配列の付加を行う工程と、
前記固相担体を洗浄液で洗浄して、固定化された2本鎖DNA断片以外の成分を除去する工程と、
前記2本鎖DNA断片について、前記増幅用プライマー配列および前記タグ配列の少なくとも一部の配列または少なくとも一部に相補的な配列を有するプライマーを用いて増幅を行い、前記mRNAの3’末端配列に由来する配列のみを増幅する工程と、
増幅された配列について、前記細胞識別配列および前記分子識別配列を用いて前記単一細胞毎に遺伝子発現解析を行う工程と
を含む方法。
【請求項２】
前記タグ配列が特異的配列部分および共通配列部分を含み、前記増幅工程において、前記タグ配列のうち該共通配列または該共通配列に相補的な配列を増幅することを特徴とする、請求項１に記載の方法。
【請求項３】
前記固相担体を洗浄する工程の前または後に、前記単一細胞由来1st cDNAライブラリが固定化された固相担体を、複数の細胞分プールする工程をさらに含む、請求項１又は２に記載の方法。
【請求項４】
前記単一細胞由来1st cDNAライブラリが固定化された固相担体を、10〜100000個の細胞分をプールすることを特徴とする、請求項３に記載の方法。
【請求項５】
前記固相担体が径10nm〜100μmのサイズであることを特徴とする、請求項１〜４のいずれか１項に記載の方法。
【請求項６】
前記固相担体が磁性ビーズであることを特徴とする、請求項１〜５のいずれか１項に記載の方法。
【請求項７】
前記逆転写反応をテンプレートスイッチ（Template switch）機能を有する逆転写酵素を用いて行うことを特徴とする、請求項１〜６のいずれか１項に記載の方法。
【請求項８】
前記2nd cDNA合成工程において、ランダムプライマーおよび鎖置換活性を有するDNAポリメラーゼを用いた相補鎖伸長反応により2nd cDNAを合成することを特徴とする、請求項１〜７のいずれか１項に記載の方法。
【請求項９】
前記2nd cDNA合成工程において、テンプレートスイッチ機能を有する逆転写酵素により付加された特異的配列に相補的な配列を含むプライマーを用いた相補鎖伸長反応により2nd cDNAを合成することを特徴とする、請求項７に記載の方法。
【請求項１０】
前記2nd cDNA合成工程において、1本鎖DNAリガーゼを用いて既知配列を前記1st cDNAの3’末端へ付加し、該既知配列に相補的な配列を含むプライマーを用いた相補鎖伸長反応により2nd cDNAを合成することを特徴とする、請求項１〜６のいずれか１項に記載の方法。
【請求項１１】
前記2nd cDNA合成工程において、ターミナルトランスフェラーゼ（TdT）により1st cDNAの3’末端へポリT、A、GまたはCのポリ塩基配列を付加し、該ポリ塩基配列に相補的な配列を含むプライマーを用いた相補鎖伸長反応により2nd cDNAを合成することを特徴とする、請求項１〜６のいずれか１項に記載の方法。
【請求項１２】
前記固相担体に、増幅用プライマー配列、細胞識別配列、分子識別配列、およびオリゴ（dT）配列を含むプローブと、ランダム配列を含むプライマーとが固定されており、前記2nd cDNA合成工程において、前記固相担体に固定されたランダムプライマーおよび鎖置換活性を有するDNAポリメラーゼを用いた相補鎖伸長反応により2nd cDNAを合成し、cDNA増幅することを特徴とする、請求項１〜７のいずれか１項に記載の方法。
【請求項１３】
前記微小反応槽の各々に直径10μm以下の貫通孔が形成されており、前記細胞導入工程において、該貫通孔に単一細胞が捕捉されることを特徴とする、請求項１〜１２のいずれか１項に記載の方法。
【請求項１４】
2本鎖DNAの断片化およびタグ配列の付加を行う工程を、2本鎖DNAに対するタグメンテーション反応により行うことを特徴とする、請求項１〜１３のいずれか１項に記載の方法。
【請求項１５】
前記洗浄液が、前記タグメンテ―ション反応に使用する酵素に対する阻害作用を有するものである、請求項１４に記載の方法。
【請求項１６】
前記洗浄液が高濃度塩を含有する、請求項１〜１５のいずれか１項に記載の方法。
【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
原稿が載置される原稿台と、
前記原稿が載置される原稿トレイ、前記原稿トレイに前記原稿が載置されていることを検知する第１センサ、前記原稿トレイ上の前記原稿を搬送する搬送ユニット、及び前記原稿が排紙される排出トレイを含み、前記原稿トレイから前記原稿を搬送する原稿搬送手段と、
基準部材と、
前記原稿搬送手段の開閉状態を検知する第２センサと、
第１モードにおいて読取位置を移動しながら前記原稿台に載置された原稿の画像を読み取り、第２モードにおいて前記搬送ユニットによって所定の読取位置に搬送される原稿の画像を読み取る読取手段と、
前記第１モードにおいて前記読取手段から出力された画像データに対して、第１シェーディング補正データを用いてシェーディング補正を行い、前記第２モードにおいて前記読取手段から出力された画像データに対して、第２シェーディング補正データを用いてシェーディング補正を行う画像処理部と、
前記読取手段が前記基準部材を読み取った結果に基づいて、前記第１モードのための前記第１シェーディング補正データまたは前記第２モードのための前記第２シェーディング補正データを生成する制御手段と、を備え、
前記制御手段は、前記第２センサによって前記原稿搬送手段の開状態からの変化が検知されたときに、前記第１センサによって前記原稿トレイに原稿が載置されていないことが検知されると前記第１シェーディング補正データを生成し、
前記制御手段は、前記第２センサによって前記原稿搬送手段の開状態からの変化が検知されたときに、前記第１センサによって前記原稿トレイに原稿が載置されていることが検知されていると前記第１シェーディング補正データを生成しないことを特徴とする、
画像読取装置。
【請求項２】
前記基準部材は、前記第１モードによる前記読取位置の移動方向における前記所定の読取位置と前記原稿台の前記原稿が載置される領域との間に配置されていることを特徴とする、
請求項１記載の画像読取装置。
【請求項３】
前記制御手段は、前記第１センサによって前記原稿トレイに原稿が載置されていることが検知されている場合に、前記第２シェーディング補正データを生成することを特徴とする、
請求項１又は２記載の画像読取装置。
【手続補正２】
【補正対象書類名】明細書
【補正対象項目名】発明の名称
【補正方法】変更
【補正の内容】
【発明の名称】画像読取装置
【手続補正３】
【補正対象書類名】明細書
【補正対象項目名】０００９
【補正方法】変更
【補正の内容】
【０００９】
本発明の画像読取装置は、原稿が載置される原稿台と、前記原稿が載置される原稿トレイ、前記原稿トレイに前記原稿が載置されていることを検知する第１センサ、前記原稿トレイ上の前記原稿を搬送する搬送ユニット、及び前記原稿が排紙される排出トレイを含み、前記原稿トレイから前記原稿を搬送する原稿搬送手段と、基準部材と、前記原稿搬送手段の開閉状態を検知する第２センサと、第１モードにおいて読取位置を移動しながら前記原稿台に載置された原稿の画像を読み取り、第２モードにおいて前記搬送ユニットによって所定の読取位置に搬送される原稿の画像を読み取る読取手段と、前記第１モードにおいて前記読取手段から出力された画像データに対して、第１シェーディング補正データを用いてシェーディング補正を行い、前記第２モードにおいて前記読取手段から出力された画像データに対して、第２シェーディング補正データを用いてシェーディング補正を行う画像処理部と、前記読取手段が前記基準部材を読み取った結果に基づいて、前記第１モードのための前記第１シェーディング補正データまたは前記第２モードのための前記第２シェーディング補正データを生成する制御手段と、を備え、前記制御手段は、前記第２センサによって前記原稿搬送手段の開状態からの変化が検知されたときに、前記第１センサによって前記原稿トレイに原稿が載置されていないことが検知されると前記第１シェーディング補正データを生成し、前記制御手段は、前記第２センサによって前記原稿搬送手段の開状態からの変化が検知されたときに、前記第１センサによって前記原稿トレイに原稿が載置されていることが検知されていると前記第１シェーディング補正データを生成しないことを特徴とする。
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
入力信号値を画像形成装置の色域に応じて変換するための色変換テーブルを生成する情報処理装置であって、
前記色変換テーブルの各格子点に定義されている出力信号値に含まれる複数の色成分のうち人間の視覚的な感度が高周波成分に対して高い第１成分の信号値に対し、前記色変換テーブルにおける当該第１成分の信号値に関する格子点間の傾きの差が小さくなるように補正を行う補正手段と、
前記出力信号値に含まれる複数の色成分のうち前記感度が低周波成分に対して高い第２成分の信号値と前記補正された第１成分の信号値とを含む出力信号値に基づき、前記補正の結果を維持するか否かを判定する判定手段と、
前記判定手段が前記補正の結果を維持しないと判定した場合、前記補正された第１成分の信号値に対し前記色域内に含まれるよう調整を行う調整手段と、
を備えることを特徴とする情報処理装置。
【請求項２】
前記判定手段は、前記第２成分の信号値と前記補正された第１成分の信号値とで特定される出力信号値が前記色域に含まれない場合、前記補正された第１成分の信号値を維持しないと判定することを特徴とする請求項１に記載の情報処理装置。
【請求項３】
前記判定手段は、前記第２成分の信号値と前記補正された第１成分の信号値とで特定される出力信号値が前記色域に含まれず、かつ、前記補正された第１成分の信号値が前記補正を行う前よりも前記色域から遠ざかる場合に、前記補正された第１成分の信号値を維持しないと判定することを特徴とする請求項１に記載の情報処理装置。
【請求項４】
前記判定手段は、所定の色に対応する前記第１成分の信号値に関する基準値に対し、前記補正された第１成分の信号値が前記補正を行う前よりも遠い場合に、前記補正された第１成分の信号値を維持しないと判定することを特徴とする請求項１に記載の情報処理装置。
【請求項５】
前記判定手段は、前記第２成分の信号値と前記補正された第１成分の信号値とで特定される出力信号値が前記色域に含まれず、かつ、所定の色に対応する前記第１成分の信号値に関する基準値に対し、前記補正された第１成分の信号値が前記補正を行う前よりも遠い場合に、前記補正された第１成分の信号値を維持しないと判定することを特徴とする請求項１に記載の情報処理装置。
【請求項６】
前記所定の色は、プライマリ色であり、
前記基準値は、各プライマリ色における前記第１成分の信号値である
ことを特徴とする請求項４又は５に記載の情報処理装置。
【請求項７】
前記調整された第１成分の信号値を新たな入力信号値として、少なくとも前記補正手段による補正及び前記判定手段による判定を行わせる制御手段をさらに備えることを特徴とする請求項１乃至６のいずれか１項に記載の情報処理装置。
【請求項８】
前記制御手段は、前記補正、前記判定及び前記調整を、予め設定された所定回数繰り返すことを特徴とする請求項７に記載の情報処理装置。
【請求項９】
前記制御手段は、前記補正、前記判定及び前記調整の繰り返しの終了を、前記傾きの変化を検出する指標についての閾値処理の結果に基づき決定することを特徴とする請求項７に記載の情報処理装置。
【請求項１０】
前記制御手段は、前記補正、前記判定及び前記調整の繰り返しの実行において、最初のN回目（N＜所定回数）までは前記判定及び前記調整を行わないことを特徴とする請求項７乃至９のいずれか１項に記載の情報処理装置。
【請求項１１】
前記調整は、前記補正された第１成分の信号値を、前記補正を行う前の値に戻す処理であることを特徴とする請求項１乃至１０のいずれか１項に記載の情報処理装置。
【請求項１２】
前記調整は、前記補正された第１成分の信号値を、その対応する格子点に関連付けて予め定められた値で置き換える処理であることを特徴とする請求項１乃至１０のいずれか１項に記載の情報処理装置。
【請求項１３】
前記予め定められた値で置き換える処理は、
前記補正された第１成分の信号値が予め定められた上限値を上回って色域外となっている場合は当該上限値で置き換え、
前記補正された第１成分の信号値が予め定められた下限値を下回って色域外となっている場合は当該下限値で置き換える処理である
ことを特徴とする請求項１２に記載の情報処理装置。
【請求項１４】
前記入力信号値はＲＧＢの色空間で表されることを特徴とする、請求項１乃至１３のいずれか１項に記載の情報処理装置。
【請求項１５】
前記第２成分の信号値と前記調整された第１成分の信号値とを用いて、前記色変換テーブルの出力信号値を書き換える書換手段をさらに備えることを特徴とする請求項１乃至１４のいずれか１項に記載の情報処理装置。
【請求項１６】
前記書換手段による書き換えを行った後の色変換テーブル、又は、書き換えを行う前の色変換テーブルとの差分を表すデータを、前記画像形成装置へ送信する送信手段をさらに備えることを特徴とする請求項１５に記載の情報処理装置。
【請求項１７】
前記第１成分の信号値は、輝度または明度を示す信号値であり、
前記第２成分の信号値は、色度を示す信号値である
ことを特徴とする請求項１乃至１６のいずれか１項に記載の情報処理装置。
【請求項１８】
入力信号値を画像形成装置の色域に応じて変換するための色変換テーブルを生成する情報処理方法であって、
前記色変換テーブルの各格子点に定義されている出力信号値に含まれる複数の色成分のうち人間の視覚的な感度が高周波成分に対して高い第１成分の信号値に対し、前記色変換テーブルにおける当該第１成分の信号値に関する格子点間の傾きの差が小さくなるように補正を行う補正ステップと、
前記出力信号値に含まれる複数の色成分のうち前記感度が低周波成分に対して高い第２成分の信号値と前記補正された第１成分の信号値とを含む出力信号値に基づき、前記補正の結果を維持するか否かを判定する判定ステップと、
前記判定ステップで前記補正の結果を維持しないと判定された場合、前記補正された第１成分の信号値に対し前記色域内に含まれるよう調整を行う調整ステップと、
を含むことを特徴とする情報処理方法。
【請求項１９】
コンピュータを、請求項１乃至１７のいずれか１項に記載の情報処理装置の各手段として機能させるためのプログラム。
【手続補正２】
【補正対象書類名】明細書
【補正対象項目名】０００８
【補正方法】変更
【補正の内容】
【０００８】
本発明に係る情報処理装置は、入力信号値を画像形成装置の色域に応じて変換するための色変換テーブルを生成する情報処理装置であって、前記色変換テーブルの各格子点に定義されている出力信号値に含まれる複数の色成分のうち人間の視覚的な感度が高周波成分に対して高い第１成分の信号値に対し、前記色変換テーブルにおける当該第１成分の信号値に関する格子点間の傾きの差が小さくなるように補正を行う補正手段と、前記出力信号値に含まれる複数の色成分のうち前記感度が低周波成分に対して高い第２成分の信号値と前記補正された第１成分の信号値とを含む出力信号値に基づき、前記補正の結果を維持するか否かを判定する判定手段と、前記判定手段が前記補正の結果を維持しないと判定した場合、前記補正された第１成分の信号値に対し前記色域内に含まれるよう調整を行う調整手段と、を備えることを特徴とする。
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
移動通信ネットワークの管理装置であって、
ユーザ装置から当該ユーザ装置が在圏するエリアを示すメッセージを受信する受信手段と、
前記メッセージが示すエリアに基づきユーザ装置をグループ化するグループ化手段と、
前記グループ化手段がグループ化したグループに含まれるユーザ装置の数に基づき当該グループの確率値を求める確率値判定手段と、
ユーザ装置から受信した前記メッセージの応答として、当該ユーザ装置が属するグループの前記確率値を当該ユーザ装置に送信する送信手段と、
を備えていることを特徴とする管理装置。
【請求項２】
前記グループ化手段は、第１ユーザ装置と第２ユーザ装置のそれぞれが所定の時間範囲内に前記メッセージを送信し、かつ、前記所定の時間範囲内に前記第１ユーザ装置と前記第２ユーザ装置のそれぞれが送信した前記メッセージが同じエリアを示すことが、所定回数だけ連続すると、前記第１ユーザ装置と前記第２ユーザ装置を同じグループにグループ化することを特徴とする請求項１に記載の管理装置。
【請求項３】
前記グループ化手段は、グループに属するユーザ装置から前記メッセージを受信すると、所定期間だけ待機し、前記所定期間の間に当該グループに属するＵＥから受信した前記メッセージが示すエリアに基づき当該グループに属するユーザ装置の再判定を行うことを特徴とする請求項１又は２に記載の管理装置。
【請求項４】
前記グループ化手段は、前記グループに属するユーザ装置の再判定において、前記所定期間の間に前記メッセージを送信しなかったユーザ装置については当該グループに属すると判定することを特徴とする請求項３に記載の管理装置。
【請求項５】
前記確率値判定手段は、グループに属するユーザ装置の数が大きくなると、当該グループの確率値を小さくすることを特徴とする請求項１から４のいずれか１項に記載の管理装置。
【請求項６】
前記確率値は、前記ユーザ装置が、前記メッセージを送信する確率を制御する値であり、前記確率値が大きくなると、前記ユーザ装置が、前記メッセージを送信する確率が大きくなることを特徴とする請求項１から５のいずれか１項に記載の管理装置。
【請求項７】
装置の１つ以上のプロセッサで実行されると、前記装置を請求項１から６のいずれか１項に記載の管理装置として機能させることを特徴とするプログラム。
【請求項８】
移動通信ネットワークのユーザ装置であって、
基地局が送信する信号に基づき在圏するエリアを判定する第１判定手段と、
確率値を保持する保持手段と、
前記第１判定手段が判定したエリアを示すメッセージを前記移動通信ネットワークに送信するか否かを判定する第２判定手段と、
前記第２判定手段の判定結果に応じて、前記メッセージを前記移動通信ネットワークに送信する送信手段と、
を備えており、
前記第２判定手段は、前記第１判定手段が判定したエリアが変更された場合、前記確率値に基づき前記メッセージを前記移動通信ネットワークに送信するか否かを判定することを特徴とするユーザ装置。
【請求項９】
前記第２判定手段は、前記第１判定手段が判定したエリアが変更された場合、乱数を生成し、生成した前記乱数と前記確率値とを比較することで、前記メッセージを前記移動通信ネットワークに送信するか否かを判定することを特徴とする請求項８に記載のユーザ装置。
【請求項１０】
前記第２判定手段は、前記メッセージを送信してから所定期間が経過すると、前記メッセージを前記移動通信ネットワークに送信すると判定することを特徴とする請求項８又は９に記載のユーザ装置。
【請求項１１】
移動通信ネットワークのユーザ装置であって、
基地局が送信する信号に基づき在圏するエリアを判定する判定手段と、
確率値を保持する保持手段と、
前記確率値に基づき決定される時間間隔で前記判定手段が判定したエリアを示すメッセージを前記移動通信ネットワークに送信する送信手段と、
を備えていることを特徴とするユーザ装置。
【請求項１２】
前記確率値は、前記メッセージの応答として前記移動通信ネットワークから受信することを特徴とする請求項８から１１のいずれか１項に記載のユーザ装置。
【請求項１３】
装置の１つ以上のプロセッサで実行されると、前記装置を請求項８から１２のいずれか１項に記載のユーザ装置として機能させることを特徴とするプログラム。
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
装置であって、
複数のスロットを有するルーレットホイールであって、前記複数のスロットの各々が１つの数字に対応している、前記ルーレットホイールと、
命令を記録する非一過性の記録媒体を有するコンピューティング装置と、を備え、
前記命令は、前記コンピューティング装置によって実行されると、前記装置に、
ルーレットゲームの第１及び第２のそれぞれの結果として発生する第１及び第２の数字を決定し、
前記第１及び第２の数字が前記第１及び第２の結果として決定されたことに応答して、前記ルーレットホイール上に、前記第１の数字と前記第２の数字との接続を示す第１の指標を表示し、
前記ルーレットホイールが回転しているときに、前記ルーレットホイール上の同じ場所に第１の指標が残っているように見えるように、前記ルーレットホイールの動きに連動して第１の指標を移動する、
ことを実行させる、
装置。
【請求項２】
前記命令は、前記コンピューティング装置によって実行されると、前記装置に、
前記ルーレットゲームの第３の結果として発生する第３の数字を決定し、
前記第３の数字が前記第３の結果として決定されたことに応答して、前記ルーレットホイール上に、前記第１の指標と同時に、前記第２の数字と前記第３の数字とのつながりを示す第２の指標を、前記ルーレットホイール上に表示する、
ことを実行させる、
請求項１に記載の装置。
【請求項３】
前記命令は、前記コンピューティング装置によって実行されると、前記装置に、
少なくとも前記第１の指標と前記第２の指標によって形成された幾何学的パターンに対して行われた第１の賭けの指示を受信し、
前記第１の賭けの金額の指示を受信し、
前記ルーレットゲームの第４の結果として発生する第４の数字を決定し、
前記第４の数字が、前記幾何学的パターンの複数の点を定義する複数の数字の組のうちの１つであるかどうかを決定し、
前記第１の賭けの金額と、前記第１の数字が前記複数の数字の前記組のうちの１つであるかどうかとに基づいて、残高調整を決定する、
ことを実行させる、
請求項２に記載の装置。
【請求項４】
前記命令は、前記コンピューティング装置によって実行されると、前記装置に、
前記ルーレットゲームの前記第４の結果として発生した前記第４の数字を前記ルーレットホイール上に表示し、
前記第４の数字が前記ルーレットホイール上に表示されるようにする前記第３の数からのスロットの数を決定する、
ことを実行させる、
請求項２に記載の装置。
【請求項５】
前記命令は、前記コンピューティング装置によって実行されると、前記装置に、
前記複数の数字の前記組の指示を表示する、
ことを実行させる、
請求項３に記載の装置。
【請求項６】
前記残高調整を決定することが、前記ルーレットホイールの結果の組であって、前記第３の結果を含む結果の組を超えて、前記複数の数字の前記組に含まれる数字の量に基づいて、第１の支払いを決定することを含む、
請求項３に記載の装置。
【請求項７】
前記複数の点が、前記幾何学的パターンの頂点を含む、
請求項３に記載の装置。
【請求項８】
前記命令は、前記コンピューティング装置によって実行されると、前記装置に、
前記ルーレットホイール上に表示される前記ルーレットホイール上の複数の第２のスロットの各々にそれぞれ対応する複数の第２の点によって定義された第２の幾何学的パターンの指示を受け取ることであって、前記第２の幾何学的パターンが利用可能な複数の幾何学的パターンの中から選択されている、
ことを実行させる、
請求項１に記載の装置。
【請求項９】
前記命令は、前記コンピューティング装置によって実行されると、前記装置に、
前記複数のスロットの第１及び第２のスロットの各々に隣接して表示されるように、前記第１及び第２の数字を生じさせる、
ことを実行させる、
請求項１に記載の装置。
【請求項１０】
１つ以上のレーザーを備え、
前記第１の指標を表示することが、前記１つ以上のレーザーに前記第１の指標を投影させることを含む、
請求項１に記載の装置。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
特定表示手段と、
表示対応記憶領域に表示対応情報を設定する設定手段と、
前記表示対応記憶領域に記憶された前記表示対応情報に対応する表示が行われるように前記特定表示手段を表示制御する特定表示制御手段と、
動作電力の供給が開始されたことに基づいて、前記表示対応記憶領域を含む所定の記憶領域を初期化する初期化手段と、
を備えていることを特徴とする遊技機。
【手続補正２】
【補正対象書類名】明細書
【補正対象項目名】０００５
【補正方法】変更
【補正の内容】
【０００５】
ここで、上記例示等のような遊技機においては、動作電力の供給開始時の動作を好適なものとする必要があり、この点について未だ改良の余地がある。
【手続補正３】
【補正対象書類名】明細書
【補正対象項目名】０００６
【補正方法】変更
【補正の内容】
【０００６】
本発明は、上記例示した事情等に鑑みてなされたものであり、動作電力の供給開始時の動作を好適なものとすることが可能な遊技機を提供することを目的とするものである。
【手続補正４】
【補正対象書類名】明細書
【補正対象項目名】０００７
【補正方法】変更
【補正の内容】
【０００７】
上記課題を解決すべく請求項１記載の発明は、特定表示手段と、
表示対応記憶領域に表示対応情報を設定する設定手段と、
前記表示対応記憶領域に記憶された前記表示対応情報に対応する表示が行われるように前記特定表示手段を表示制御する特定表示制御手段と、
動作電力の供給が開始されたことに基づいて、前記表示対応記憶領域を含む所定の記憶領域を初期化する初期化手段と、
を備えていることを特徴とする。
【手続補正５】
【補正対象書類名】明細書
【補正対象項目名】０００８
【補正方法】変更
【補正の内容】
【０００８】
本発明によれば、動作電力の供給開始時の動作を好適なものとすることが可能となる。